(57)【要約】【課題】  導体カバーのへたりを抑制することで、より確実に安全性を確保できる配線ダクトを提供する。【解決手段】  導体カバー１４の基壁部２４の両端部から該基壁部２４に平行に一対の弾性張出部２５を張り出し、この弾性張出部２５の張出先端部から配線ダクト本体の底面へ向かって脚部２５ａを延出して、この脚部２５ａを配線ダクト本体の底面に当接させた。【選択図】      図３
2006302665.tif 000002
【特許請求の範囲】
【請求項１】
長手方向に沿った開口を前面に有した配線ダクト本体と、前記配線ダクト本体の一対の内側面に沿って延在する一対の導体と、前記配線ダクト本体の前記開口に対向する底面に当接し前記導体を覆う導体カバーと、を備え、前記開口側から前記底面側へ押圧された前記導体カバーの弾性変形によって前記導体への取付部品の接触を可能とする配線ダクトにおいて、
前記導体カバーは、
前記底面に対向するとともに前記配線ダクト本体の長手方向に沿って延在する基壁部と、
前記基壁部の両端部から前記開口へ向かって立設され前記開口側の端部で前記導体を覆う一対の側壁部と、
前記基壁部の両端部から前記基壁部に平行に張り出した一対の弾性張出部と、
前記弾性張出部の張出先端部から前記底面へ向かって延出され前記底面に当接する脚部と、
を有することを特徴とする配線ダクト。
【請求項２】
前記脚部における前記底面に当接する部位は、湾曲状に形成されていることを特徴とする請求項１に記載の配線ダクト。
【請求項３】
自由状態の前記導体カバーでの、前記弾性張出部における前記基壁部側の端から前記脚部における前記底面との当接部位までの前記基壁部に沿った長さをａ、前記弾性張出部の厚さをｂとした場合、ａ／ｂ≧６．７であることを特徴とする請求項１又は２に記載の配線ダクト。
【発明の詳細な説明】
【技術分野】
【０００１】
本発明は、配線ダクトに関する。
【背景技術】
【０００２】
従来、電源用コンセントプラグを保持するとともに、この電源用コンセントプラグを電源線に接続する配線ダクトがある。このような配線ダクトとして、長手方向に沿った開口を前面に有した配線ダクト本体と、配線ダクト本体の一対の内側面に沿って延在する一対の導体と、この配線ダクト本体の開口に対向する底面に当接し導体を覆う導体カバーとを備えたものがある（例えば、特許文献１参照）。
【０００３】
この配線ダクトでは、電源用コンセントプラグが開口に嵌められた状態で導体に接続され、導体を介して電源線から電源用コンセントプラグに電力が供給される。
【０００４】
特許文献１に開示された導体カバーは、配線ダクトの底面に配設された本体と、この本体から延出して導体を覆う被覆片と、本体からダクト本体の底面に斜めに延出して先端が底面に当接する弾性片とから構成されている。この導体カバーは、電源用コンセントプラグなどの取付部品が取り付けられていない部分の導体を覆うことで安全性を確保するとともに、電源用コンセントプラグが取り付けられる部分においては、電源用コンセントプラグに押圧されることにより弾性片が底面に平行になるように弾性変形して、導体を露出させ、導体への電源用コンセントプラグの接触を可能としている。
【特許文献１】特公平３−２９１４０号公報
【発明の開示】
【発明が解決しようとする課題】
【０００５】
しかしながら、上記構造の導体カバーでは、電源用コンセントプラグに押圧されて弾性片が底面に平行になるように弾性変形した場合には、弾性片の付根部分が局部的に変形して、そこに応力が集中し、弾性片の付根部分がへたってしまうおそれがある。
【０００６】
弾性片の付根部分がへたってしまうと、電源用コンセントプラグによる押圧をやめても、被覆片が導体を覆うことができなくなってしまうため、導体が露出して安全性が低下するおそれがある。
【０００７】
本発明は、上記の問題点に鑑みてなされたものであり、その目的とするところは、導体カバーのへたりを抑制することで、より確実に安全性を確保できる配線ダクトを提供することにある。
【課題を解決するための手段】
【０００８】
請求項１に記載の発明は、長手方向に沿った開口を前面に有した配線ダクト本体と、前記配線ダクト本体の一対の内側面に沿って延在する一対の導体と、前記配線ダクト本体の前記開口に対向する底面に当接し前記導体を覆う導体カバーと、を備え、前記開口側から前記底面側へ押圧された前記導体カバーの弾性変形によって前記導体への取付部品の接触を可能とする配線ダクトにおいて、前記導体カバーは、前記底面に対向するとともに前記配線ダクト本体の長手方向に沿って延在する基壁部と、前記基壁部の両端部から前記開口へ向かって立設され前記開口側の端部で前記導体を覆う一対の側壁部と、前記基壁部の両端部から前記基壁部に平行に張り出した一対の弾性張出部と、前記弾性張出部の張出先端部から前記底面へ向かって延出され前記底面に当接する脚部と、を有することを特徴とする。
【０００９】
請求項２に記載の発明は、請求項１に記載の配線ダクトにおいて、前記脚部における前記底面に当接する部位は、湾曲状に形成されていることを特徴とする。
【００１０】
請求項３に記載の発明は、請求項１又は２に記載の配線ダクトにおいて、自由状態の前記導体カバーでの、前記弾性張出部における前記基壁部側の端から前記脚部における前記底面との当接部位までの前記基壁部に沿った長さをａ、前記弾性張出部の厚さをｂとした場合、ａ／ｂ≧６．７であることを特徴とする。
【発明の効果】
【００１１】
本発明によれば、配線ダクトへの電源用コンセントプラグの装着によって、導体カバーの変形が繰り返されても、導体カバーのへたりを格段に抑制することができるので、導体への感電を防止した安全性の高い配線ダクトを提供することができる。
【発明を実施するための最良の形態】
【００１２】
本発明の一実施形態を図面に基づいて説明する。
【００１３】
図１は、本実施形態の配線ダクト１をカバー２及び電源用コンセントプラグ３とともに示す正面図である。図１に示すように、配線ダクト１には、その前面側にカバー２及び電源用コンセントプラグ３が取り付けられる。
【００１４】
図２は、配線ダクト１におけるカバー２取付部分の縦断側面図である。図１及び図２に示すように、配線ダクト１は、長尺状に形成された配線ダクト本体１１と、この配線ダクト本体１１の内部に設けられた一対の導体１３と、配線ダクト本体１１の内部に設けられ導体１３を覆う導体カバー１４とを備えている。
【００１５】
配線ダクト本体１１の前面を構成する前壁１５には、該配線ダクト本体１１の長手方向に沿って開口１６が形成されている。この開口１６には、カバー２がスライド自在に嵌合するとともに、電源用コンセントプラグ３が嵌合する。この開口１６と配線ダクト本体１１の底面１７とは対向している。
【００１６】
導体１３は、配線ダクト本体１１の内側面１１ａから中心側に突出して設けられた支持部１２の溝に配設されており、配線ダクト本体１１の一対の内側面１１ａに沿って延在している。これらの導体１３には、図示しない電源線が接続され、該導体１３は、電源線から供給される電力を電源用コンセントプラグ３に供給する。
【００１７】
図３は、導体カバー１４を示す縦断側面図である。図３に示すように、導体カバー１４は、導体カバー本体２１と、この導体カバー本体２１に設けられたアース用導体２２とから構成されて弾性を有しており、配線ダクト本体１１の底面１７に当接するとともに導体１３を覆っている。
【００１８】
導体カバー本体２１は、配線ダクト本体１１の底面１７に対向するとともに配線ダクト本体１１の長手方向に沿って延在する基壁部２４と、基壁部２４の両端部から開口１６へ向かって立設され開口１６側の端部で導体１３を覆う一対の側壁部２３と、基壁部２４の両端部から該基壁部２４に平行に張り出した一対の弾性張出部２５と、弾性張出部２５の張出先端部から底面１７へ向かって延出され底面１７に当接する脚部２５ａとから構成されている。この導体カバー本体２１の材質としては、ＡＢＳ（アクリルニトル・ブタジエン・スチレン共重合体）樹脂を例示することができる。
【００１９】
基壁部２４は、アース用導体２２の前面側の一部を露出させた状態でアース用導体２２を保持している。
【００２０】
側壁部２３の先端部２３ａは、導体１３側へ屈曲して導体１３に至っている。ここで、側壁部２３が覆う導体１３の範囲は、導体１３の一部であってもよいし全体であってもよい。
【００２１】
また、脚部２５ａにおける底面１７に当接する部位は、湾曲状に形成されている。本実施形態では、半円状に形成されている。
【００２２】
また、自由状態の導体カバー１４での、弾性張出部２５における基壁部２４側の端から脚部２５ａにおける底面１７との当接部位までの基壁部２４に沿った長さをａ、前記弾性張出部２５の厚さをｂとした場合、ａ／ｂ≧６．７であることが好適である。ここで、自由状態とは、導体カバー１４に電源用コンセントプラグ３などからの外力が作用していない状態である。
【００２３】
この導体カバー１４におけるカバーに対向する部分では、図２に示すように、脚部２５ａが配線ダクト本体１１の底面１７に当接し、基壁部２４と底面１７との間には間隔があいている。また、この導体カバー１４は、開口１６側から底面１７側へ押圧されて弾性変形することで導体１３への電源用コンセントプラグ３の後述する接触片３６の接触を可能とする。
【００２４】
図４は、電源用コンセントプラグ３を示す正面図、図５は、その背面図、図６は、その側面図、図７は、配線ダクト１における電源用コンセントプラグ３取付部分の縦断側面図である。図４ないし図６に示すように、電源用コンセントプラグ３には、プラグ差込口３１、アース部３２、回転部３３が設けられている。
【００２５】
回転部３３の表側には、コイン挿入溝３４が形成され、回転部３３の裏側に開口１６の縁部内側に係止する係止爪３５と、導体１３に接触する接触片３６とが設けられている。また、電源用コンセントプラグ３の裏側には、導体カバー１４のアース用導体２２に当接する接触バネ３７が設けられている。
【００２６】
この電源用コンセントプラグ３を配線ダクト１に接続するときは、回転部３３の係止爪３５、接触片３６及び接触バネ３７を開口１６内に挿入し、接触バネ３７をアース用導体２２に弾接させる。そして、回転部３３を９０°回転して係止爪３５を開口１６の縁部内側に係止し、接触片３６を導体１３の表面に接触させる（図７）。
【００２７】
このような構成において、配線ダクト１に前述したように電源用コンセントプラグ３が接続されるときの導体カバー１４の変形について説明する。ここで、図８は、図７の一部を拡大して示す縦断側面図である。
【００２８】
配線ダクト１に前述したように電源用コンセントプラグ３が接続されるときには、図７及び図８に示すように、導体カバー１４の一対の側壁部２３が、電源用コンセントプラグ３の接触片３６によって、開口１６側から底面１７側へ押圧される。これにより、導体カバー１４の弾性張出部２５が弾性湾曲し、基壁部２４が底面１７に当接する。このように、配線ダクト１に電源用コンセントプラグ３が接続されるときには、弾性張出部２５が弾性湾曲するので、例えば弾性張出部としての弾性片が基壁部としての本体に斜めに設定されその弾性片が底面１７に平行になるように弾性変形する従来の導体カバーに比べ、弾性張出部２５の基壁部２４側の端（付根部分）における曲げ角度が緩やかになり、その部分での応力集中が抑制される。これにより、本実施形態では、配線ダクト１への電源用コンセントプラグ３の装着によって、導体カバー１４の弾性張出部２５部分の変形が繰り返されても、導体カバー１４のへたりを従来の導体カバーに比べて格段に抑制することができる。よって、本実施形態では、導体カバー１４のバネ性を十分に確保することができるので、導体カバー１４によって導体１３を確実に覆うことができ、導体１３への感電を防止した安全性の高い配線ダクト１を提供することができる。
【００２９】
また、本実施形態にいては、脚部２５ａにおける底面１７に当接する部位は、湾曲状に形成されていることにより、配線ダクト１電源用コンセントプラグ３が接続されるときには、脚部２５ａが底面１７に対して回動するので、弾性張出部２５の弾性湾曲がスムーズに行なわれる。
【００３０】
なお、本発明は、本実施形態に限ることなく本発明の要旨を逸脱しない範囲で他の実施形態を各種採用することができる。
【図面の簡単な説明】
【００３１】
【図１】本発明の一実施形態の配線ダクトをカバー及び電源用コンセントプラグとともに示す正面図である。
【図２】配線ダクトにおけるカバー取付部分の縦断側面図である。
【図３】導体カバーを示す縦断側面図である。
【図４】電源用コンセントプラグを示す正面図である。
【図５】その背面図である。
【図６】その側面図である。
【図７】配線ダクトにおける電源用コンセントプラグ取付部分の縦断側面図である。
【図８】その一部を拡大して示す縦断側面図である。
【符号の説明】
【００３２】
１      配線ダクト
３      電源用コンセントプラグ（取付部品）
１１    配線ダクト本体
１１ａ  内側面
１３    導体
１４    導体カバー
１６    開口
１７    底面
２３    側壁部
２４    基壁部
２５    弾性張出部
２５ａ  脚部
３６    接触片
【図１】
2006302665.tif 000003
【図２】
2006302665.tif 000004
【図３】
2006302665.tif 000005
【図４】
2006302665.tif 000006
【図５】
2006302665.tif 000007
【図６】
2006302665.tif 000008
【図７】
2006302665.tif 000009
【図８】
2006302665.tif 000010